(57)【要約】【課題】構造が簡単であり、部品点数も少なく製作時の工数も削減することができる餅つき機を提供すること。【解決手段】フレーム１側に昇降可能に支持された杵部材２と、縦方向に循環駆動するチェーン３と、このチェーン３の一部に設けられた掛止部４と、この掛止部４に掛止することによりチェーン３と連動して上昇する爪部材５と、フレーム１側に配設され、爪部材５の一部が当接することにより爪部材５を掛止部４から離脱させる解除片６とを備え、爪部材５と杵部材２とを連結し、爪部材５の連動動作を杵部材２に上昇動作として伝達するようにする。【選択図】図１
0003123529.tif 000002
【実用新案登録請求の範囲】
【請求項１】
フレーム側に昇降可能に支持された杵部材と、縦方向に循環駆動するチェーンと、該チェーンの一部に設けられた掛止部と、該掛止部に掛止することによりチェーンと連動して移動する爪部材と、フレーム側に配設され、爪部材の一部が当接することにより該爪部材を掛止部から離脱させる解除片とを備え、爪部材と杵部材とを連結し、前記爪部材の連動動作を杵部材に上昇動作として伝達するようにしたことを特徴とする餅つき機。
【請求項２】
解除片の高さを調節可能にしたことを特徴とする請求項１記載の餅つき機。
【請求項３】
杵部材と爪部材をプッシュロッドを介して連結し、爪部材で杵部材を押し上げるようにしたことを特徴とする請求項１又は２記載の餅つき機。
【請求項４】
杵部材と爪部材を滑車とワイヤを介して連結し、爪部材で杵部材を引き上げるようにしたことを特徴とする請求項１又は２記載の餅つき機。
【考案の詳細な説明】
【技術分野】
【０００１】
本考案は、蒸した餅米等からなる生地を機械的に杵でつくようにした餅つき機に関し、特に、電磁クラッチやモータの正逆転も不要で構造が簡単であり、部品点数も少なく製作時の工数も削減することができる餅つき機に関するものである。
【背景技術】
【０００２】
餅つき機として、双軸のスクリューを回転させるようにした練り上げ方式の工業用餅つき機や容器内底に複数の回転フィンを突設し、そのフィンを高い回転数で回転させるようにしたミキサー方式の家庭用餅つき機が汎用されている。
【０００３】
これらの練り上げ方式やミキサー方式の餅つき機は、いずれも蒸した餅米を単に捏ねてすり潰し餅にするため、古来から行われてきた蒸した餅米を杵でつく方式と比較して、食感（ノビ、コシ等）が劣るという問題があった。
【０００４】
また、農業祭等の各種イベントにおいて餅つきを行う場合、人手による餅つきは、趣がある反面、重労働で大量の餅米を短時間でつくことが困難であり、上記の練り上げ方式やミキサー方式の餅つき機は、趣がないという問題があった。
【０００５】
一方、機械的に杵でつく方式の餅つき機も提案されているが（例えば、特許文献１及び２参照）、電磁クラッチやモータの正逆転が必要であるなど、電気的や機械的に構造が複雑であり、部品点数が多く、また製作時の工数も増大するという問題があった。
【特許文献１】特開２００４−２１５５２３号公報
【特許文献２】実開平５−３１７４７号公報
【考案の開示】
【考案が解決しようとする課題】
【０００６】
本考案は、上記従来の餅つき機の有する問題点に鑑み、電磁クラッチやモータの正逆転も不要で構造が簡単であり、部品点数も少なく製作時の工数も削減することができる餅つき機を提供することを目的とする。
【課題を解決するための手段】
【０００７】
上記目的を達成するため、本考案の餅つき機は、フレーム側に昇降可能に支持された杵部材と、縦方向に循環駆動するチェーンと、該チェーンの一部に設けられた掛止部と、該掛止部に掛止することによりチェーンと連動して移動する爪部材と、フレーム側に配設され、爪部材の一部が当接することにより該爪部材を掛止部から離脱させる解除片とを備え、爪部材と杵部材とを連結し、前記爪部材の連動動作を杵部材に上昇動作として伝達するようにしたことを特徴とする。
【０００８】
この場合において、解除片の高さを調節可能にすることができる。
【０００９】
また、杵部材と爪部材をプッシュロッドを介して連結し、爪部材で杵部材を押し上げるようにすることができる。
【００１０】
また、杵部材と爪部材を滑車とワイヤを介して連結し、爪部材で杵部材を引き上げるようにすることができる。
【考案の効果】
【００１１】
本考案の餅つき機によれば、フレーム側に昇降可能に支持された杵部材と、縦方向に循環駆動するチェーンと、該チェーンの一部に設けられた掛止部と、該掛止部に掛止することによりチェーンと連動して移動する爪部材と、フレーム側に配設され、爪部材の一部が当接することにより該爪部材を掛止部から離脱させる解除片とを備え、爪部材と杵部材とを連結し、前記爪部材の連動動作を杵部材に上昇動作として伝達することから、チェーンを一方向に循環駆動させると、チェーンの掛止部に爪部材が掛止して移動し、該移動に伴い杵部材が上昇するとともに、爪部材が解除片に当接し掛止部から離脱することにより、杵部材を上昇位置から落下させることができ、これにより、掛止部が循環する度に上記杵部材の昇降を繰り返して餅つきを行うことができる。
しかも、電磁クラッチやモータの正逆転も不要であることから、構造が簡単で電気的な故障も少なく、また、部品点数も少ないことから製作時の工数も削減することができる。
【００１２】
この場合において、解除片の高さを調節可能にすることにより、爪部材の離脱位置を調節して杵部材の昇降のストロークを変更し、餅米のつき方を調整することができる。
【００１３】
また、杵部材と爪部材をプッシュロッドを介して連結し、爪部材で杵部材を押し上げるようにすることにより、杵部材の昇降位置をチェーンより上にすることができる。
【００１４】
また、杵部材と爪部材を滑車とワイヤを介して連結し、爪部材で杵部材を引き上げるようにすることにより、杵部材の昇降位置をチェーンより上にすることができる。
【考案を実施するための最良の形態】
【００１５】
以下、本考案の餅つき機の実施の形態を、図面に基づいて説明する。
【実施例１】
【００１６】
図１〜図５に、本考案の餅つき機の第１実施例を示す。
この餅つき機は、フレーム１側に昇降可能に支持された杵部材２と、縦方向に循環駆動するチェーン３と、該チェーン３の一部に設けられた掛止部４と、該掛止部４に掛止することによりチェーン３と連動して上昇する爪部材５と、フレーム１側に配設され、爪部材５の一部が当接することにより該爪部材５を掛止部４から離脱させる解除片６とを備えている。
そして、杵部材２と爪部材５とをプッシュロッド７を介して連結し、爪部材５の上昇動作を杵部材２にそのまま上昇動作として伝達するようにしている。
【００１７】
杵部材２は、杵の上部から側方に支持杆２１を延設し、フレーム１の上部に垂設された２本のガイドロッド１１に該支持杆２１が摺動自在に支持されている。
杵部材２は、本実施例では、自重による自由落下としているが、ガイドロッド１１の上部にばね（図示省略）を配設して、支持杆２１をこのばねにより付勢して落下させることもできる。
また、杵部材２は、図６に示す本考案の餅つき機の第１実施例の変形実施例のように、チェーン３をフレーム１の上部に架設することにより、プッシュロッド７を介することなく、爪部材５と直接連結することもでき、これにより、台上に載置される臼Ｗの高さに合わせて杵部材２を昇降させることができる。
【００１８】
チェーン３は、フレーム１の下部に該柱状のフレーム１に沿うように縦長に架設されており、通常の動作ではモータＭにより一方向に回転する。
このチェーン３には、本実施例では該チェーン３を等分する位置に、２つの掛止部４が設けられている。これらの掛止部４は、チェーン３の両側にそれぞれ突設した２リンク分のチェーン３により構成され、この部分のみ３列チェーンを形成するようにしている。
なお、モータＭには、停止中の杵部材２の自重による自由落下を防止するため、ブレーキ付減速モータやウォーム減速モータを使用することが好ましい。
【００１９】
爪部材５は、図３〜図４にも示すように、その支持杆５１が、フレーム１の下部まで延設された一方のガイドロッド１１に摺動自在に支持されている。支持杆５１は、図５に示すように、フレーム１に沿って配設されたガイドレール（図示省略。このガイドレールは、爪部材５がガイドロッド１１に沿って昇降する際に、爪部材５が１本のガイドロッド１１回りに揺動することを防止するために設けるようにしている。）を挟むガイドローラ５２を備えるとともに、杵部材２を押し上げるプッシュロッド７が固定される。
爪部材５は、図４に示すように、チェーン３の外側に対向する位置で、支持杆５１の先端に固定された水平軸部５３に揺動可能に支持されており、フレーム１の下部位置で、そのフック状の爪先５４が、チェーン３により下から循環移動してきた掛止部４に掛止する。
爪部材５の基部には、解除片６と当接することにより爪部材５を外側に揺動させ、掛止部４から離脱させる離脱レバー５５が設けられている。
離脱レバー５５は、下向きに押圧されることにより爪部材５の下部に当接して爪部材５を外側に揺動させる一方、上昇した杵部材２を降ろすときなど、チェーン３を逆回転させた際に、解除片６が下から当たると上向きに揺動して逃げられるように枢着されている。
また、爪部材５の離脱時には、爪部材５がその揺動側にチェーン３を引き寄せがちになるため、爪部材５の間には、チェーン３の外側に当接することによりチェーン３の追従を阻止し、爪部材５の離脱を円滑にするチェーン押さえ５６が配設されている。
なお、爪部材５の頂部５７は、チェーン３を逆回転させた際に、下降してきた掛止部４が逃げることができるように円弧状に形成されている。
また、爪部材５は、フック状の爪先５４が規定位置に復帰するように、爪先５４側から延設したアーム５８を介して引っ張りばねＳ１により付勢されるとともに、所定の当たりにより位置決めされている。
また、離脱レバー５５は、規定位置に復帰するように、引っ張りばねＳ２により付勢されるとともに、所定の当たりにより位置決めされている。
【００２０】
解除片６は、フレーム１に並設したポール８に高さを違えて嵌挿し固定した複数のものからなり、その鍔部６１に爪部材５の離脱レバー５５が当接することにより、爪部材５の掛止状態が解除され、爪部材５がチェーン３の掛止部４から離脱する。
最上部以外の解除片６は、一方向にのみ、略９０゜の扇形の鍔部６１を有し、ポール８に回転することによって鍔部６１が爪部材５側に配設された位置で離脱レバー５５と当接するようにする。
一方、最上部の解除片６は、全周３６０゜の円形の鍔部６１を有し、この鍔部６１より下方に爪部材５側に配設された鍔部６１がない場合に、この鍔部６１が配設された最上部の位置で離脱レバー５５と当接するようにする。また、最上部の解除片６は、全周３６０゜の円形の鍔部６１を有し、必ず離脱レバー５５と当接するため、安全装置を兼ねている。
したがって、本実施例では、解除片６を回転させるだけで、解除片６の高さを調節することができ（図２（ｂ）の斜線は、鍔部６１に爪部材５の離脱レバー５５が当接することにより、爪部材５の掛止状態が解除される位置を示す。）、これにより、爪部材５の離脱位置を容易に調節し、杵部材２の昇降のストロークを変更して、餅米のつき方を調整することができる。
【００２１】
図７〜図１１に、本考案の餅つき機の第２実施例を示す。
この餅つき機は、フレーム１側に昇降可能に支持された杵部材２と、縦方向に循環駆動するチェーン３と、該チェーン３の一部に設けられた掛止部４と、該掛止部４に掛止することによりチェーン３と連動して下降する爪部材５と、フレーム１側に配設され、爪部材５の一部が当接することにより該爪部材５を掛止部４から離脱させる解除片６とを備えている。
そして、杵部材２と爪部材５を、滑車９とワイヤ１０を介して連結し、爪部材５の下降動作を杵部材２に上昇動作として伝達するようにしている。
【００２２】
杵部材２は、図７に示すように、フレーム１の上部に設置された２個の滑車９を介してワイヤ１０に吊り下げられており、ワイヤ１０の他の端部には爪部材５が接続されている。
爪部材５は、図７〜図９に示すように、杵部材２が自重によって下降し、臼Ｗ上に位置することから、最初は、ワイヤ１０によって上に引き上げられた待機位置にある。
爪部材５は、第１実施例とは上下逆向きに設けられており、第１実施例とは逆回転するチェーン３によって上から循環移動してきた掛止部４に掛止する。
【００２３】
掛止部４に掛止した爪部材５は、ワイヤ１０を介して杵部材２を引き上げながら、チェーン３と連動して解除片６まで下降し、この解除片６に離脱レバー５５が上向きに押圧されることにより、掛止部４から離脱する。
離脱した爪部材５は、杵部材２をワイヤ１０での吊り上げから解放し、解放された杵部材２は自由落下により臼Ｗ上に落下する。
そして、チェーン３が駆動し掛止部４が循環する度に、上記のように杵部材２の昇降が繰り返され、餅つきを行うことができる。
なお、第２実施例のその他の構成は、先に説明した第１実施例とほぼ同様であるので、その説明を省略する。また、同一部材は同一符号を記すことにより、その説明を省略する。
【００２４】
かくして、上記各実施例の餅つき機によれば、フレーム１側に昇降可能に支持された杵部材２と、縦方向に循環駆動するチェーン３と、該チェーン３の一部に設けられた掛止部４と、該掛止部４に掛止することによりチェーン３と連動して移動する爪部材５と、フレーム１側に配設され、爪部材５の一部が当接することにより該爪部材５を掛止部４から離脱させる解除片６とを備え、爪部材５と杵部材２とを連結し、前記爪部材５の連動動作を杵部材２に上昇動作として伝達することから、チェーン３を一方向に循環駆動させると、チェーン３の掛止部４に爪部材５が掛止して移動し、該移動に伴い杵部材２が上昇するとともに、爪部材５が解除片６に当接し掛止部４から離脱することにより、杵部材２を上昇位置から落下させることができ、これにより、掛止部４が循環する度に上記杵部材２の昇降を繰り返して（例えば、チェーン３を１５回転／分の速度で循環駆動することにより、杵部材２に３０回／分の昇降動作を行わせて）餅つきを行うことができる。
しかも、電磁クラッチやモータの正逆転も不要であることから、構造が簡単で電気的な故障も少なく、また、部品点数も少ないことから製作時の工数も削減することができる。
【００２５】
この場合、解除片６の高さを調節可能にすることにより、爪部材５の離脱位置を調節して杵部材２の昇降のストロークを変更し、餅米のつき方を調整することができる。
また、第１実施例のように、杵部材２と爪部材５をプッシュロッド７を介して連結し、爪部材５で杵部材２を押し上げるようにすることにより、杵部材２の昇降位置をチェーン３より上にすることができる。
また、第２実施例のように、杵部材２と爪部材５を滑車９とワイヤ１０を介して連結し、爪部材５で杵部材２を引き上げるようにすることにより、杵部材２の昇降位置をチェーン３より上にすることができる。
【００２６】
以上、本考案の餅つき機について、複数の実施例に基づいて説明したが、本考案は上記実施例に記載した構成に限定されるものではなく、各実施例に記載した構成を適宜組み合わせる等、その趣旨を逸脱しない範囲において適宜その構成を変更することができる。
【産業上の利用可能性】
【００２７】
本考案の餅つき機は、電磁クラッチやモータの正逆転も不要で構造が簡単であり、部品点数も少なく製作時の工数も削減するという特性を有することから、農業祭等の各種イベントにおける餅つきの用途に好適に用いることができるほか、古来から行われてきた蒸した餅米を杵でつく方式であり、食感（ノビ、コシ等）が優れた餅をつくことができることから、業務用の用途にも用いることができる。
【図面の簡単な説明】
【００２８】
【図１】本考案の餅つき機の第１実施例を示す解除片を省略した側面図である。
【図２】同餅つき機を示し、（ａ）は杵部材を省略した正面図、（ｂ）は解除片の設置例を示す説明図である。
【図３】待機する爪部材を示す部分拡大側面図である。
【図４】同部分拡大正面図である。
【図５】爪部材を示し、（ａ）は離脱時の状態を示す背面図、（ｂ）は待機もしくは掛止状態を示す背面図である。
【図６】本考案の餅つき機の第１実施例の変形実施例を示し、（ａ）は解除片を省略した側面図、（ｂ）は杵部材を省略した正面図である。
【図７】本考案の餅つき機の第２実施例を示し、（ａ）は解除片を省略した側面図、（ｂ）は杵部材を省略した正面図である。
【図８】待機する爪部材を示す部材拡大側面図である。
【図９】同部分拡大正面図である。
【図１０】爪部材の正面図である。
【図１１】爪部材を示し、（ａ）は離脱時の状態を示す背面図、（ｂ）は待機もしくは掛止状態を示す背面図である。
【符号の説明】
【００２９】
１    フレーム
１１  ガイドロッド
２    杵部材
２１  支持杆
３    チェーン
４    掛止部
５    爪部材
５１  支持杆
５２  ガイドローラ
５３  水平軸部
５４  爪先
５５  離脱レバー
５６  チェーン押さえ
５７  頂部
６    解除片
６１  鍔部
７    プッシュロッド
８    ポール
９    滑車
１０  ワイヤ              
【図１】
0003123529.tif 000003
【図２】
0003123529.tif 000004
【図３】
0003123529.tif 000005
【図４】
0003123529.tif 000006
【図５】
0003123529.tif 000007
【図６】
0003123529.tif 000008
【図７】
0003123529.tif 000009
【図８】
0003123529.tif 000010
【図９】
0003123529.tif 000011
【図１０】
0003123529.tif 000012
【図１１】
0003123529.tif 000013